Podtech/llm-jp-corpus-v4-ja_patent huggingface dataset:
(57)【要約】【課題】取付けピンを容易に安全に老人、子供や手の不自由な人にも簡単に着装出来る為のピンを提供する。【解決手段】ピンの基部（４）にバネ（３）を設け指のつまみ（２）にて針（１）を起こし取付け場所に差し込んで手をはなすと針先は磁石植え込みのセ−フティ・アタッチメントに装着して簡単に取付けが出来る。【選択図】図２
2009082671.tif 000002
【特許請求の範囲】
【請求項１】
本体のー端寄りにセ−フティ・アタチメントを設け、他端寄りに基部を設け、基部にバネを介して、つまみ付きの針の先端が、開閉するように取付けたことを特徴とする取付けピン。
【発明の詳細な説明】
【技術分野】
【０００１】本発明は取付けピンを、より容易に取付けられる様に基部のバネにより、つまみ部分でピン先を起こし、取付け場所に差し込んで、手をはなせばワンタッチで、セット出来るピンである。
【背景技術】
【０００２】従来の安全ピンタイプは、針先をはずして取付け部に差し込み又フックに止めるのに苦労する、へたをすると針先で指を疵つけることもあつた。
【特許文献１】  特開２００３−３３２０６
【特許文献２】  特開２００１−２５８６１５
【発明の開示】
【０００３】安全ピンタイプは取付けた後は安全であるが、取付け取り外しに意外と手間取るし、指先の不自由な人や、老人には以外とやっかいである。
【課題を解決するための手段】
【０００４】本体（６）のー端寄りにセ−フティ・アタチメント（５）を設け、他端寄りに基部（４）設け、基部（４）にバネ（３）を介して、指のつまみ（２）付きの針（１）の先端が、開閉するように取付けたことを特徴とする取付けピンでピン先を全くさわらずに、つまみ部分のバネによつて、ワンタッチで取付けが完了する、操作の簡単な構造としたものである。
【発明の効果】
【０００５】従来の安全ピンに比較した場合、使用が簡単でしかも安全に取付け易く、バネのある基部のつまみを指先で挟んで、針を起こし取付け場所に差し込んで、手をはなせばワンタッチで着装できる。
【発明を実施するための最良の形態】
【０００６】本発明はブロ−チやワッペンなどに利用すれば、安全ピンタイプのものより操作が簡単で、構造的にもより安全に使用できて大いに普及に貢献出来るし、針をさわることが無いために、危険性がほとんどないので利用価値が高い。
尚、二針タイプにすると、より安定した着装ができる。
【図面の簡単な説明】
【０００７】
【図１】本発明に係わる原型の斜視図である。
【図２】本発明品のつまみ部分を起こし針をセット出来る状態にした斜視図である。
【符号の説明】
【０００８】１  ・・・・・・・・・    針
２  ・・・・・・・・・    指のつまみ
３  ・・・・・・・・・    基部に組み込まれたバネの部分
４  ・・・・・・・・・    基部
５  ・・・・・・・・・    セーフティ・アタッチメント
６  ・・・・・・・・・    本体
【図１】
2009082671.tif 000003
【図２】
2009082671.tif 000004
(57)【要約】【課題】本発明は障害者が介護者なしで体を支えながら使用する歩行器と歩行車が、安定性に優れ、且つ歩行器と歩行車の下端前方に段差解消移乗装置を取り付けることにより、伝達して自在車輪１２に移乗することができ、簡単な操作で段差を確実に安定して乗り越えることを目的とする。【解決手段】本体支え９の前方にゴム車輪８とスライド体２を装着しさらに、カバー４ａと４ｂを３枚合わせして接着剤を用いて貼り合わせ本体１を一体化にし、スライド体２のスライド前面１４が段差Ｂ面頂点１６にに当接した場合スライド後面１５が後方にスライド移動しストッパ１３に到達と同時に歩行器と歩行車に装着した、段差解消移乗装置本体１から自在車輪１２に移乗し、段差Ｂ面に乗り上げ段差が乗り越えることができると、ともにコイルバネ１０の作用により、スライド本体２が前方から後方に、後方から前方に往復できる段差解消移乗装置である。【選択図】図５
2009082678.tif 000002
【特許請求の範囲】
【請求項１】
段差解消移乗装置の本体１はカバー４ａと４ｂと本体支え９とスライド体２そり部３とゴム車輪８で形成され、且つカバー４ａと４ｂの内側にスライドガイド５とスライド本体２の両側にスライドガイド溝６で形成され、歩行器と歩行車の自在車輪１２の前方の下端に取付可能に形成し、スライド体２が段差をスライド移動しながら乗り越え自在車輪１２に伝達する段差解消移乗装置。
【請求項２】
前期そり部３は本体１の下側に曲線で形成されるとともに、段差にスライド体２の底部が当接すると、前方から後方にスライド移動し、段差を乗り越え可能にしたことを、特徴とする請求項１に記載される段差解消移乗装置。
【請求項３】
前期スライド体２は左右のスライドガイド溝６とバネ収納溝７で形成されるとともに、バネ収納溝７にコイルバネを装着し、前後の移動をスムーズに摩擦力を小さくしたことを特徴とする請求項１に記載される段差解消移乗装置。
【請求項４】
前期ゴム車輪８は、本体支え９の前側に装着するとともに、カバー４ａと４ｂに形成され段差等の障害物の緩和することを、特徴とする請求項１に記載されている段差解消移乗装置。
【請求項５】
歩行器と歩行車に本体１を取り付ける場合、自在車輪１２の前方の任意場所に取付可能、且つ取付ベース１１を必要とするがビス等で脱着可能にしたことを、特徴とする請求項１に記載されている段差解消移乗装置。
【発明の詳細な説明】
【技術分野】
【０００１】この発明は歩行に障害がある障害者が杖代わりまた歩行訓練のために体を支えながら前進操作を行うようにした歩行器と歩行車が、危険なく容易に段差を乗り越え前進できるようにした段差解消移乗装置。
【背景技術】
【０００２】公報のようにそり部に車輪を設け段差を乗り越えるものがある（例えば、特開２００５−０４０５６０号参照）【０００３】
【特許文献１】特開２００５−０４０５６０号の場合、段差を乗り越えるときに、そり部は容易に乗り越えることができるが、自在車輪１２に伝達するときに、抵抗がある。
【特許文献２】特開２００５−０４０５６０号の場合そり部は容易に乗り越えることができるが、自在車輪に伝達するときに、加速させなければならない。
【発明の開示】
【発明が解決しようとする課題】
【０００４】そこで本発明は上記の課題を解決するために、そり部の下端に車輪を設け自在車輪１２に伝達する場合、自在車輪に抵抗がかかる為に加速させなければ、ならない欠点がある。
【課題を解決するための手段】
【０００５】このようなことから、本発明の目的は、歩行器と歩行車の自在車輪１２の前方に取付、走行が比較的容易にでき、例えば、家庭内の敷居と畳縁等の段差の乗り越えは安全に、走行できる段差解消移乗装置を開発したものである。
【発明の効果】
【０００６】本発明は上記の課題に鑑み、段差を乗り越える本体支え９にカバー４ａと４ｂとスライド体２とゴム車輪８で形成されると、ともに歩行器と歩行車の自在車輪１２の前方の任意の場所に装着させることで、スライド体２がそり部３の前方から後方にスライド移動し段差を乗り越え可能に、形成する方法を採用した。
【発明を実施するための最良の形態】
【０００７】本体１は歩行器と歩行車に装着させる段差解消移乗装置、しかもそり部３のスライド体２は段差以外に動作することがなく、走行床面Ａ面に対する、例えば、敷居と畳縁等の段差乗り越え時の摩擦力は小さくなるので、軽快に段差走行が行えるとともに、方向変更が容易に行える。
【実施例】
【０００８】以下に、本発明の実施の形態を図１〜図６に基づいて説明する。
図４と５に示すように、段差解消移乗装置は木材から制作され、本体１はカバー４ａと４ｂと本体支え９とスライド体２とゴム車輪８に形成された本体１であり、本体支え９にゴム車輪８を装着し、スライド体２のバネ収納溝７コイルバネ１０を設置し、さらにスライド体２を装着しカバー４ａと４ｂとスライドガイド５とスライド溝６の部材で形成される。木材に限らず軽金属、合成樹脂からも作成することも可能である。【０００９】図５と６に示すようにスライド体２はスライド溝６とバネ収納溝７で形成され、スライド溝６はスライドガイド５に沿って前後の移動ができ、段差にスライド体２の底部が当接し、続いて歩行器と歩行車を前進させると、スライド体２に荷重がかかって、段差に当接したままスライドガイド５に沿って前方から後方にスライド移動し、スライド体２の後面１５がストッパ１３に当接すると、段差Ｂ面の頂点１６に達し、持ち上げられて段差Ｂ面に乗り上げ、段差を乗り越える。
【産業上の利用可能性】
【００１６】
【図面の簡単な説明】
【００１７】
【図１】歩行器に段差解消移乗装置を取り付けた状態である。
【図２】本発明の側面図である。
【図３】本発明の正面図である。
【図４】本発明の斜面図である。
【図５】本発明の分解詳細図
【図６】本発明の段差乗り越える場合の側面図である。
【符号の説明】
【００１８】１        本体
２        スライド体
３        そり部
４ａ      カバー
４ｂ      カバー
５        スライドガイド
６        スライドガイド溝
７        バネ収納溝
８        ゴム車輪
９        本体支え
１０      コイルバネ
１１      取付ベース
１２      自在車輪
１３      ストッパ
１４      スライド体前面
１５      スライド体後面
１６      Ｂ面の頂点
【図１】
2009082678.tif 000003
【図２】
2009082678.tif 000004
【図３】
2009082678.tif 000005
【図４】
2009082678.tif 000006
【図５】
2009082678.tif 000007
【図６】
2009082678.tif 000008
(57)【要約】【課題】就寝中、外部の騒音で、安眠できなかった、そこで、ベッド、床にエアーカプセルを、かぶせる事で、外部の騒音から、守る事が、できた。四季を通して、室内の温度で、使用可能で、安眠できるもので、ある。【解決手段】本発明は、ベッド、通常の床に、エアーカプセルをかぶせることで、外部の音を、庶断できる物である。【選択図】図２
2009082680.tif 000002
【特許請求の範囲】
【請求項１】
外部の騒音から守るための、安眠用の、エアーマット式のカプセルタイプである。カプセルタイプのチューブに空気を入れてふくらませ、カプセル形になり、ベッドの上にかぶせる形である。足元に入口を設置し、出入口があり、空気の出入ともなる。室内の冷暖房でも、使用でき、持ち運びにも、折たたみもなり、可能なエアーマット式防音安眠カプセル。
【発明の詳細な説明】
【技術分野】
【０００１】本発明は、外部の騒音から、安眠を守る為のエアーマットカプセル。
【背景技術】
【０００２】外部の騒音から、安眠を守るため、カプセルをかぶせる、ことで、防音対策をしたものである。
【発明の開示】
【発明が解決しようとする課題】
【０００３】本発明は、外部の騒音から、守る為、防音カプセルを乗せる事で、騒音を、効果的に、消音し、静かな安眠を、実現する事を、目的とするものである。
【課題を解決するための手段】
【０００４】本発明は、ベッド、通常の床に、エアーカプセルを、かぶせることで、外部の音を、庶断できる物である。【０００５】第２の解決手段はベッド本体に、密着させること【０００６】湿気から、守る為、足元に出入口を設置。
【発明の効果】
【０００７】上述したように、本発明のエアーカプセルとは、外部の騒音から、安眠を守る為の、防音安眠カプセルで、あり、安眠を提供できる。
【発明を実施する為の最良の形態】
【０００８】以下本発明の実施の形態を図１〜図３で説明する。
【図面の簡単な説明】
【０００９】
【図１】エアーカプセル本体を横から見た側面図
【図２】エアーカプセル本体を全面から見た斜視図
【図３】エアーカプセルを正面図
【図１】
2009082680.tif 000003
【図２】
2009082680.tif 000004
【図３】
2009082680.tif 000005
(57)【要約】【課題】従来の手挽コーヒーミルによる豆の挽き方は、疲労するものであったり、豆が落ちないで本体を叩いて豆を落とす必要があった。これは人力を伴ったり、ホッパー内の段差やすき間に豆が入り込んだりするためである。【解決手段】側面にラダーチェーンを固定した円盤の中央に手挽コーヒーミルのハンドルに設けられた手挽コーヒーミル本体に取り付けるための穴と同じ形の穴を設け、その穴と側面の間にコーヒー豆投入口を設けた手挽コーヒーミル取り付けギヤを手挽コーヒーミル本体にハンドルの変わりに固定ネジで固定し、ラダーチェーンに適応する動力を伴ったスプロケットを噛み合わせ、動力で手挽コーヒーミル本体のミル部分を回転させ豆を挽き、円盤の下面に突起を設けることでその突起がホッパー内の段差やすき間に入り込んだ豆をかき落とし本体を叩いて豆を落とす手間を省くことが出来、これにより人力を伴わず疲労することなく、本体を叩いて豆を落とす必要もないからくりが提供できる。【選択図】図６
2009082676.tif 000002
【特許請求の範囲】
【請求項１】
側面にラダーチェーンを固定した円盤の中央に手挽コーヒーミルのハンドルに設けられた手挽コーヒーミル本体に取り付けるための穴と同じ形の穴を設け、その穴と側面の間にコーヒー豆投入口を設けた手挽コーヒーミル取り付けギヤ。
【請求項２】
請求項１記載の円盤の下面に突起を設けた手挽コーヒーミル取り付けギヤ。
【発明の詳細な説明】
【技術分野】
【０００１】  本発明は、手挽コーヒーミルを動力を伴うことによりコーヒー豆を挽くことができるギヤに関する。
【背景技術】
【０００２】  従来の手挽コーヒーミルによるコーヒー豆の挽き方は手でハンドルを回す方法がある。【０００３】  以下、従来の手挽コーヒーミルにおけるコーヒーの挽き方について説明する。ミル本体をしっかり押さえハンドルを右（時計の針の回転方向）にゆっくり回すと豆が挽けます。
【非特許文献１】ＭＪ−０５０３メリタコーヒーミルクラッシック取扱説明書家庭用，ｐ２
【発明の開示】
【発明が解決しようとする課題】
【０００４】  以上に述べた従来の手挽コーヒーミルにおけるコーヒー豆の挽き方は、人力を伴い、頻繁にコーヒーを飲む人にとってはとても疲労するものであったり、ホッパー内の段差やすき間に小さく割れた豆などが入り込み、コーヒー豆がスムーズに落ちないでハンドルが空回りすることがあります。このような時は本体を軽く叩いて豆を落とす必要があります。【０００５】  本発明は、このような従来の手挽コーヒーミルが有していた問題を手挽コーヒーミルを利用する形で解決しようとするものであり、人力を伴わないことで疲労を軽減し、ホッパー内の段差やすき間に小さく割れた豆などが入り込み、コーヒー豆がスムーズに落ちないでハンドルが空回りする時、本体を軽く叩いて豆を落とす必要がなくコーヒーが挽けることを目的とするものである。
【課題を解決する手段】
【０００６】  そして本発明は、上記目的を達成するために、側面にラダーチェーンを固定した円盤の中央に手挽コーヒーミルのハンドルに設けられた手挽コーヒーミル本体に取り付けるための穴と同じ形の穴を設け、その穴と側面の間にコーヒー豆投入口を設けたものである。
【０００７】  また、第２の解決手段は、前記円盤の下面に突起を設けたものである。
【０００８】  上記第１の解決手段にとる作用は次の通りである。すなわち、側面にラダーチェーンを固定した円盤の中央に手挽コーヒーミルのハンドルに設けられた手挽コーヒーミル本体に取り付けるための穴と同じ形の穴を設け、その穴と側面の間にコーヒー豆投入口を設けた手挽コーヒーミル取り付けギヤを手挽コーヒーミル本体にハンドルの変わりに固定ネジで固定し、ラダーチェーンに適応する動力を伴ったスプロケットを噛み合わせ、動力で手挽コーヒーミル本体のミル部分を回転させコーヒー豆を挽く。
【０００９】  また第２の課題解決手段による作用は前記円盤の下面に突起を設けたることでその突起がホッパー内の段差やすき間に入り込んだ小さく割れた豆などをかき落としコーヒーミル本体を叩いて豆を落とす手間を省くことが出来る。手挽コーヒーミル取り付けギヤ。
【発明の効果】
【００１０】  上述したように本発明の手挽コーヒーミル取り付けギヤは、ラダーチェーンに適応する動力を伴ったスプロケットを噛み合わせることで、手挽コーヒーミルでコーヒー豆を挽く際に人力を伴なわず、頻繁にコーヒーを飲む人も疲労することのないからくりを提供できる。
【００１１】  また、ホッパー内の段差やすき間に小さく割れた豆などが入り込み、コーヒー豆がスムーズに落ちないというようなこともないので本体を軽く叩いて豆を落とす必要もないからくりが提供できる。
【発明の実施するための最良の形態】
【００１２】  以下、本発明の実施の形態を図１〜図７に基づいて説明する。
【００１３】  図においては、１，２，３，４，５は、手挽コーヒーミル取り付けギヤで、側面にラダーチェーン３を固定した円盤の中央に手挽コーヒーミルのハンドルに設けられた手挽コーヒーミル本体に取り付けるための穴と同じ形の穴１、その穴１と側面との間のコーヒー豆投入口２、さらに円盤の下面の突起４となっている。
【００１４】  以下上記構成の動作を説明する。図６において側面にラダーチェーン３を固定した円盤の中央に手挽コーヒーミルのハンドルに設けられた手挽コーヒーミル本体に取り付けるための穴と同じ形の穴１を設け、その穴と側面の間にコーヒー豆投入口２を設けさらに下面に突起４を設けた手挽コーヒーミル取り付けギヤを手挽コーヒーミル本体５にハンドルの変わりに固定ネジ７で固定する。図７においてラダーチェーンに適応する動力を伴ったスプロケット６を噛み合わせる。
【００１５】  以上のように、本実施形態によれば手挽コーヒーミルでコーヒー豆を挽く際に人力を伴なわず、頻繁にコーヒーを飲む人も疲労することのない、また、ホッパー内の段差やすき間に小さく割れた豆などが入り込み、コーヒー豆がスムーズに落ちないというようなこともないので本体を軽く叩いて豆を落とす必要もないからくりが提供可能なのである。
【図面の簡単な説明】
【００１６】
【図１】本発明の手挽コーヒーミル取り付けギヤを上から見た図。
【図２】斜上から見た同手挽コーヒーミル取り付けギヤの図。
【図３】横から見た同手挽コーヒーミル取り付けギヤの図。
【図４】斜下から見た同手挽コーヒーミル取り付けギヤの図。
【図５】下から見た同手挽コーヒーミル取り付けギヤの図。
【図６】手挽コーヒーミルに取り付けた手挽コーヒーミル取り付けギヤに動力を伴ったスプロケットを噛み合わせた図。
【符号の説明】
【００１７】  １  手挽コーヒーミルのハンドルに設けられた手挽コーヒーミル本体に取り付けるための穴と同じ形の穴
２  コーヒー豆投入口
３  ラダーチェーン
４  突起
５  手挽コーヒーミル
６  動力を伴ったスプロケット
７  固定ネジ
８  ホッパー
【図１】
2009082676.tif 000003
【図２】
2009082676.tif 000004
【図３】
2009082676.tif 000005
【図４】
2009082676.tif 000006
【図５】
2009082676.tif 000007
【図６】
2009082676.tif 000008
(57)【要約】【課題】  花びんに花を生けるとき、花の位置を固定するために使う、花びん用仕切板を提供する。【解決手段】  凹凸をつけた２枚の板を十字状に組み、丸めて花びんの内側に固定して花を生けることを特徴とする花びん用仕切板。【選択図】図１
2009082673.tif 000002
【特許請求の範囲】
【請求項１】
軟質の素材で表面に凹凸を設けた２枚の板を十字状に組み、前記板の一端に滑りにくい素材の板を貼付したことを特徴とする花びん用仕切板。
【発明の詳細な説明】
【技術分野】
【０００１】  この発明は、花びんに花を生けるとき、花の位置を固定するために使う花びん用仕切板に関するものである。
【背景技術】
【０００２】  従来、花びんに花を生けるときは、花の位置を固定するために様々な技法を使っていた。
【発明の開示】
【発明が解決しようとする課題】
【０００３】  これは次のような欠点があった。
花の位置を固定するための様々な技法は、マスターするのに時間がかかり、花びんに思い通りに花を生けるのは、初心者には難しかった。
本発明は、以上のような欠点をなくすためになされたものである。
【課題を解決するための手段】
【０００４】  ポリカーボネートのように曲げても元に戻りやすい素材で、表面に凹凸をつけた２枚の板を十字状に組み、その板の一端にポリウレタン樹脂のような滑りにくい素材でできた板を貼る。
本発明は、以上の構成よりなる花びん用仕切板である。
【発明の効果】
【０００５】  本発明は、仕切板を丸めて花びんの内側にはめ込むだけで、誰でも簡単に花の位置を固定することができる。
【発明を実施するための最良の形態】
【０００６】  以下、本発明を実施するための最良の形態について説明する。
（イ）凹凸をつけたポリカーボネート材からなる板（１）２枚を十字状に組む。
（ロ）ポリカーボネート材からなる板（２）の一端にポリウレタン樹脂材からなる板を        貼る。
本発明は以上のような構造である。
これを使用するときは、仕切板を丸めて花びんの中の好みの位置で手を離し、仕切板を花びんの内側に固定する。
【図面の簡単な説明】
【０００７】
【図１】  本発明の斜視図である。
【図２】  本発明の断面図である。
【図３】  本発明の使用状態を示した斜視図である。
【符号の説明】
【０００８】      １  ポリカーボネート板
２  ポリウレタン樹脂板
【図１】
2009082673.tif 000003
【図２】
2009082673.tif 000004
【図３】
2009082673.tif 000005
(57)【要約】【課題】従来のパチンコ玉は、パチンコの機種に比べて地味でカラフルさがないという課題があった。これは、金色と銀色の二色のパチンコ玉しかなかったからである。【解決手段】金色や銀色に限定せず、だれもが子供の頃の記憶にあるビー玉や風船玉のようにあらゆるカラフル色の素材を使ってパチンコ玉を作ることによって、人々に夢と希望を与えることができる。【選択図】図１
2009082677.tif 000002
【特許請求の範囲】
【請求項１】
誰もが子供の頃の記憶にあるビー玉や風船玉のように、夢と希望に満ちたカラフル色（金、銀の色を除く）の素材を使ったカラフルパチンコ玉。
【発明の詳細な説明】
【技術分野】
【０００１】本発明は、カラフル化を図ったパチンコ玉に関する。
【背景技術】
【０００２】  従来のパチンコ玉には、金色（ゴールド色）と銀色（シルバー色）の２色のパチンコ玉がある。
【発明の開示】
【発明が解決しようとする課題】
【０００３】  パチンコの機種については、高度な技術とカラフルな素材を使用したヒット商品が次から次へと世に送り出され、パチンコファンは驚かされ続けている。しかし、機種に比べパチンコ玉はというと、旧態依然の変り映えのしない地味な色しかなかった。【０００４】  本発明は、このような従来の地味なパチンコ玉の色の問題を解決しようとするものであり、カラフル化を図ったパチンコ玉を実現することを目的とするものである。
【課題を解決するための手段】
【０００５】  本発明は上記目的を達成するために赤、青、黄、（金、銀以外の全色）など色落ちせずかつ傷がつきにくいカラフル色の素材を用いてパチンコ玉を作ったものである。
【発明の効果】
【０００６】  本発明のパチンコ玉は、パチンコファンと、パチンコ店と、パチンコ玉製造業者、の三者に夢と希望を与えるカラフルパチンコ玉を提供できる。
【発明を実施するための最良の形態】
【０００７】  図面の図１のとおり。
【実施例】
【０００８】  図面の図１のとおり。
【産業上の利用可能性】
【０００９】  パチンコＡ店は赤色のパチンコ玉、パチンコＢ店は青色のパチンコ玉、パチンコＣ店は黄色のパチンコ玉、というふうに各パチンコ店が色を使い分けることで強烈な個性を出せる。（同一店内で機種別に色を変えたり、確変の場合に色を変えたりも可能）
【図面の簡単な説明】
【００１０】
【図１】箱に入った状態のカラフルパチンコ玉の正面図である。
【図１】
2009082677.tif 000003
(57)【要約】【課題】本発明は、メガネをかけたままマスクを使用すると、マスクと肌の内側から漏れる湿気によりメガネのレンズが曇るのを防ぐための湿気漏れ防止用具を提供する。【手段】平面（１）部に凹部（２）を設け、（１）の底面（３）部に（４）部を併設し設ける。（３）部と（４）の底部（５）が離脱しないように固着する。（４）の表面（６）は粘着性（７）を備える。粘着性を備えた（７）の表面（８）を（９）で覆う。【選択図】図１
2009082674.tif 000002
【特許請求の範囲】
平面部（１）に凹部（２）を設け（１）の底面部（３）に（４）部を併設し設け、（４）の底面部（５）と底面部（３）を離脱しないように固定し、（４）の表面部（６）には粘着性（７）部を備え、粘着性を備えた（７）部の表面部（８）を（９）部で覆ったことを特徴とするマスク湿気漏れ防止用品。
【請求項２】
請求項１と異なる最良の形態として、請求項１に設けた平面部（１）に凹部（２）を設けないことを特徴とする請求項１の湿気漏れ防止用品。
【発明の詳細な説明】
【発明の詳細な説明】
【技術分野】
【０００１】本発明は、メガネをかけたままマスクを使用したとき、マスク内側から漏れる湿気によりメガネのレンズが曇るのを防ぐための湿気漏れ防止用具に関するものである。
【背景技術】
【０００２】従来、風邪などを患ったときなどマスクを使用するのは多く知られているが、メガネをかけたままマスクをすると、マスク内側から湿気が漏れてメガネのレンズが曇ってしまうのは多く知られている。
【発明の開示】
【問題が解決しようとする課題】
【０００３】そのために次のような問題があった。
（イ）メガネのレンズが曇るのを嫌い風邪などを患いマスクが必要なときでもメガネをかけているとき者はマスクをしない。
（ロ）メガネのレンズが曇ると視界が遮られ危険を伴うことが多い。
（ハ）メガネのレンズに付着した曇りを除去するためになんどもメガネを外し、レンズの      曇りを拭き取らなければならず大変煩わしい。
（ニ）レンズ曇り止め機能付きのマスクもあるが、予めマスク自体に固定されているもの      であり、マスクの大小、または形態を選ばずマスクに貼り付けて湿気漏れを防ぐ物      は無い。
本発明は、以上のような問題を解決するためになされたものである。
【課題を解決する手段】
【０００４】（イ）平面部（１）に凹部（２）を設け、（１）の底面部（３）に（４）部を併設し設ける。
（ロ）底面部（３）と（４）部の底面部（５）は離脱しないように固定する。
（ハ）（４）部の表面（６）部は粘着性（７）部を備える。
（ニ）粘着性（７）部の表面を（８）部を（９）部で覆う。
本発明は以上のような簡単な構成による湿気漏れ防止用品である。
【発明の効果】
【０００５】メガネをかけていても本発明をマスク内側に貼り付けることにより、マスク内側と肌の隙間を塞ぎマスク内側から湿気が漏れずメガネのレンズが雲らくなった。マスク内側に貼り付けるだけの簡単な作業によりメガネをかけた子供が容易に使用できた。マスクと分離した構造のため単純な工程で大量生産ができ、一つ辺りの単価も安価な価格で製造できた。
【発明を実施するための最良な形態】
【０００６】以下、請求項１による本発明を実施のための最良な形態を図面を参照して説明する。
（イ）図面１において、平面部（１）に凹部（２）を設ける。平面部（１）の底面部（３）に（４）部を併殺し設ける。（１）の底面部（３）と（４）の底面部（５）は離脱しないように固定する。
（ロ）（４）部の表面（６）部は粘着性（７）を備える。粘着性（７）を備えた（７）部の表面を（８）部を（９）部で覆う。
【０００７】上記、請求項１の本発明を実施するための最良な形態と異なる請求項２による最良な形態    を図面４を参照にして説明をする。
（イ）請求項１と異なる点は平面部（１）に凹部（２）を設けない点であり、その他の構成は、上記、請求項１を実施するための最良な形態による構成と同様に形成するものである。
本発明は以上の構成によりなる。
【０００８】本発明を使用する場合。
（イ）請求項１による本発明を使用する場合、粘着性を備えた（７）部の表面（８）部を覆った（９）部を剥がし、粘着性（７）を備えた表面（８）部をマスク内側に当てるようにしてマスクの中央部分に貼り付ける。このとき平面部（１）部に設けた凹部（２）で鼻頭を包むように使用する。
（ロ）請求項１と異なる形態の請求項２による本発明を使用する場合、粘着性（７）部の表面（８）部を覆った（９）部を（８）部より剥がし、粘着性を備えた（７）部をマスク内側中央部分に貼り付け使用する。
【図面の簡単な説明】
【０００９】
【図１】請求項１による本発明の斜視図
【図２】本発明をマスクに貼り付けた俯瞰図
【図３】本発明の使用状態を示す透視図
【図４】請求項２による本発明の斜視図
【符号の説明】
【００１０】（１）平面部
（２）凹部
（３）平面部（１）の底部部
（４）底面（３）部に併設した部
（５）（４）の表面部
（６）（５）の表面を覆った部
（７）（４）の表面部、粘着性を備えた部
（８）（７）の表面部
（９）（８）を覆った部
【図１】
2009082674.tif 000003
【図２】
2009082674.tif 000004
【図３】
2009082674.tif 000005
【図４】
2009082674.tif 000006
(57)【要約】      （修正有）【課題】顔をトレーニングして、顔のたるみやしわをのばし、肺活量や唾液を増量させて顔全体をひきしまらせ、よりシェイプアップして小顔にする方法を提供する。【解決手段】ゴム製のキャップを、大人がくわえられる程度の堅さにして、先端に小さな穴を開けたものを口にくわえ、口での呼吸や鼻呼吸で頬を運動させて肺活量を拡張させたり肋間筋を鍛えたりして、顔のたるみやしわをのばしたり、顔全体をひきしめるための、顔のトレーニング用のキャップを特微とする。【選択図】図１
2009082681.tif 000002
【特許請求の範囲】
【請求項１】
補乳ビンに付属するゴム製のキャップを、大人がくわえられる程度の固さにして、その先端に開けてある小さな穴で空気を吸ったり吹いたりして、顔の美容に役立てるための美顔用キャップ
【請求項２】
請求項１より、キャップの先端の小さな穴を塞いだままで、キャップを口にくわえ、腹式呼吸によって美容に役立てるようにした美顔用キャップ
【発明の詳細な説明】
【技術分野】
【０００１】  本発明は、美顔用キャップに関するものである。
【背景技術】
【０００２】  女性がもっと美しくなりたいと思う心情は、非常に切実である。美への飽くなき希求が、今日の商品の終わりない開発や宣伝によって、いっそう女性の心理をくすぐり、その商品を購入させ、使用させて、いささかでも満足感を得られる方向にならせようと必死の様相を呈している。それでそのための金銭の浪費ならすこしも消失を厭わないという現象も大きい。各種のエステや多数の化粧品でも満足できない願望は、整形手術にまで希求し利用して、創作された多少不自然な美までが世にまかり通るようになるほど、自分の美を追求したくなるほどの時代にもなってきている。【０００３】  こうした現象には終着がなく、したがって次々と新しい発明品が生まれ、あるいは再生品や名称を変えてまで商業戦争に勝とうとする企業の必死の計画や宣伝を通して、女性が自分の美の領分を否定してまで、翻弄されてまでもてあそばれるのは、実に全く悲しむべき現象といえる。
【発明の開示】
【発明が解決しようとする課題】
【０００４】  本発明が創出された背景には、上記のような種々の美を欲する女性たちの最も中心的な部分、即ち顔面のトレーニングによるシェイプアップ、つまり、より小顔に変身させるために使用する道具で、そうした美を追求し効果を求めることにあった。実際として、現在美を追求する多くの方法や商品が世に存在している中で、自分の顔をより小顔にトレーニングシェイプアップする方法という技術はまだ存在していない。そこで本発明はその部分に着目して、新製品の創作に至ったのである。
【課題を解決するための手段】
【０００５】  本発明の形状は、補乳ビンに付属させるゴム製品を素材としているが、大人の口にフィットさせるためには、多少の大きさが必要となり、また口にくわえるため、少し堅めの弾力性のあるゴムが求められる。ゴムの先端には小さな穴を開けておき（図１）、それをくわえて口で呼吸すると、頬をふくらましたりすぼませたりして、頬を運動させる。またその呼吸法によって肺活量は拡張され、肋間筋が鍛えられていく。次に、キャップの先端に穴を塞ぐ部品を装着させると（図３）、鼻で呼吸することになり、腹式呼吸となる。本発明は、種々のトレーニングによって頬がシェイプアップされていくので、訓練によって小顔になっていく。また、キャップをくわえてトレーニングを続けながら仕事をすることもできる。
【発明の効果】
【０００６】  本発明の美顔用キャップを使うことで、顔をトレーニングしてシェイアップできるので、顔をより小顔にしたい女性たちには朗報である。そしてキャップを口から落さないように唇に力が入るので、顔全体もひきしまってゆき、顔のたるみやしわがのびてゆく利点も出てくる。唾液の量は増し、肺活量は拡張され、肋間筋も鍛えられていく。キャップをくわえながら運動を続けたり、仕事をすることもできる。
【発明を実施するための最良の形態】
【０００７】  以下、本発明の最良の形態を説明する。
（イ）ゴム製キャップの先端に小さな穴を開ける。
（ロ）キャップ口にくわえ、口で呼吸することにより、頬の運動となり、顔をトレーニングしてシェイプアップに共する。
（ハ）キャップを塞ぐと鼻で呼吸する腹式呼吸となり、顔のトレーニングをして、訓練することができる。
以上が本発明の最良の形態である。
【図面の簡単な説明】
【図１】穴を塞いでいないキャップの側面図
【図２】図１の断面図
【図３】穴を塞いだキャップの側面図
【図４】図３の断面図
【図５】穴の開いたキャップの平面図
【図６】穴を塞いだキャップの平面図
【図７】キャップの側面図
【図８】キャップの断面図
【図９】キャップの底面図
【図１】
2009082681.tif 000003
【図２】
2009082681.tif 000004
【図３】
2009082681.tif 000005
【図４】
2009082681.tif 000006
【図５】
2009082681.tif 000007
【図６】
2009082681.tif 000008
【図７】
2009082681.tif 000009
【図８】
2009082681.tif 000010
【図９】
2009082681.tif 000011
(57)【要約】【課題】籠の中の物を取り出す時に、足腰に負担をかけずに楽な姿勢で取り出せ、持ち運びにも邪魔にならない伸縮する脚付き籠を提供する。【解決手段】  籠の両側に中空軸を設け、この中空軸の中に滑り軸を設け、レバーを握り籠を持ち上げると、滑り軸が中空軸から落ちていき籠を高い位置に保つ事を特徴とする伸縮する脚付き籠。【選択図】図１
2009082668.tif 000002
【特許請求の範囲】
【請求項１】
籠の両側に中空軸を設け、この中空軸の中に滑り軸を設け、レバーを握り籠を持ち上げることによって、滑り軸が中空軸から落ちていき籠を高い位置に保つ事ができるように構成したことを特徴とする伸縮する脚付き籠。
【発明の詳細な説明】
【技術分野】
【０００１】  本発明は、籠の中の物を取り出す時に、しゃがみこまずに取れるようにした伸縮する脚付き籠に関するものである。
【背景技術】
【０００２】  従来、洗濯物や籠の中に入れてある物を取り出す時には、籠を下に置き取り出す度にしゃがんで取り出していた。
【発明の開示】
【発明が解決しようとする課題】
【０００３】  そのために次のような問題点があった。
（イ）洗濯物を干す時や、籠の中の物を取り出す場合、物を取り出す度にしゃがんで取っていた為に足腰などに負担がかかっていた。
（ロ）脚が伸縮しない籠の場合、持ち運びに不便であり籠の中に物を入れたまま持ち運びするには大変不便だった。
本発明は、以上の問題点を解決する為になされたものである。
【課題を解決するための手段】
【０００４】籠の左右両側に中空軸をそれぞれ２ヶ所設け、この２本の中空軸にバネ部を設け橋渡しするようにレバー部を設ける。
レバー部を握り籠を持ち上げることによって中空軸から脚がすべり落ちてきて籠は高い位置に保たれる。
以上を特徴とする伸縮する脚付き籠である。
【発明の効果】
【０００５】  本発明は、簡単に籠の中の物を取り出す事ができ、足腰の負担を軽減する事ができる。また脚が伸縮する為持ち運びにも便利で、屋外、屋内問わず移動ができる。
【発明を実施するための最良の状態】
【０００６】      以下、本発明の実施の形態について説明する。
（イ）籠本体（１）の左右両側に中空軸（４）を２ヶ所設ける。
（ロ）中空軸（４）の内側にすべり軸（６）を設け、上下部にすべり軸溝部（７）を設け      る。
（ハ）中空軸（４）にバネ部を設け、２本の中空軸に橋渡しするようにレバー（２）をも      うける。
（二）バネ部（３）に引っ掛け棒（５）を取り付ける。
本発明は、以上の構成よりなっている。
本発明を使用する時は、籠を使用する場所に置きレバー（２）を握る。
するとひっかけ棒（５）がすべり軸（６）の溝から外れ、そのまま籠を持ち上げるとすべり軸（６）が中空軸（４）の中からすべり落ちていく。すべり出したらレバー（２）を握るのをやめ、ひっかけ棒（５）がすべり軸（６）を擦るように籠本体（１）を持ち上げていく。するとすべり軸（６）の上部のすべり軸溝部（７）ひっかけ棒（５）がひっかかり固定される。
【図面の簡単な説明】
【０００７】
【図１】本発明の斜視図
【図２】本発明の側面図
【符号の説明】
【０００８】        １  籠本体
２  レバー
３  バネ部
４  中空軸
５  ひっかけ棒
６  すべり軸
７  すべり軸溝部
【図１】
2009082668.tif 000003
【図２】
2009082668.tif 000004
(57)【要約】【課題】多量の泡を容易に得られ、その持続時間も適当なる使用に便利なる洗顔用ネットを提供する。【解決手段】その一端を結束した多重のネットを形成し、ネット内に発泡体を位置させたことを特徴とする。【選択図】図３
2009082665.tif 000002
【特許請求の範囲】
【請求項１】
その一端を結束した多重のネットを形成し、ネット内に発泡体を位置させたことを特徴とする洗顔用ネット。
【発明の詳細な説明】
【技術分野】
【０００１】  この発明は、洗顔時に用いて便利なる洗顔用のネットに関する。
【背景技術】
【０００２】  従来より、洗顔ネットが多用されているが、そのいずれも単なるネットの集合物であり、本発明にて示すように、スポンジを併用したものは見あたらない。
【発明の開示】
【発明が解決しようとする課題】
【０００３】  既述のように、従来の洗顔ネットはネットの集合物であるため、十分な泡立ちは得にくいものである。一般に石鹸は界面活性剤であり、石鹸成分が汚れと被洗浄物の間に入り込み、汚れを浮き上がらせて除去するものといわれている。顔の皮膚は人体の他の部位に比べて比較的デリケートな部分であるため、洗顔ネットに石鹸をこすりつけてその成分を移し、手による反復押圧にて泡立てて、この泡を顔の皮膚に移動させて洗顔する方法が用いられている。
しかしながら、従来の洗顔ネットはネット量が少なく、スポンジを用いないために泡立ちが少なく、泡切れも悪い。また、泡立ちに時間を要し、泡の持続時間も短いなどの問題点を有するものであった。
本発明は、以上のような従来からの洗顔ネットに関わる課題を解決するために発明されたもので、多重ネットとスポンジを併用することにより、細かな多量の泡が容易に得られると共に、その泡の持続時間も十分となる、新規かつ有用なる物品を提供することを目的として開発されたものである。
【課題を解決するための手段】
【０００４】  課題を解決する手段として本発明は以下の構成とした。
すなわち、その一端を結束した多重のネットを形成し、ネット内に発泡体を位置させる。
本発明は以上の構成よりなる洗顔用ネットである。
【発明の効果】
【０００５】  本発明は以下の効果を有する。
１．多重ネットを用いたので、多量の細かな泡を容易に得ることができる。
２．発泡体を内蔵したので、より多くの泡立ちが得られると共に、その泡の持続時間を長  くすることができる。
３．ネットを釣り鐘状に形成したので適度の弾力を有し、発生した泡を容易にすくい取る  ことができる。
【発明を実施するための最良の形態】
【０００６】  以下、本発明の実施形態について説明する。
図において、１は外ネットで、目の細かな合成樹脂製ネットを二つ折りにしたものである。２は中間ネットで、細目の一重ネットである。３は内ネットで、外ネットと同様構成のネットである。４はスポンジ小片による発泡体で、本例では２個を内ネット内に位置させている。５は結束体で、合成樹脂製の細巾板体の一面に多数の線状凸部を並設し、この板体の挿入部を板体の一端に設け、板体他端をこの挿入部に挿入することによってその位置保持を可能としたものであり、市販品である。各ネットは内ネット、中間ネット、外ネットの順にてその端部が重ね合わされ、この結束体にて結束されて釣り鐘状の形が保持される。６は指挿入部で、合成樹脂による市販の小環体である。７は紐体で、各ネットの重層端部（結束部）の中心を貫通して二つ折りに位置すると共に、内部に指挿入部を位置させ、紐体端は結ばれると共にその結び目に近接して小リング８が位置する。
本発明は以上の構成で、これを使用するにはまず指を指挿入部に入れ、各ネットに水分を含ませる。次に石鹸を外ネット面に軽く押し当てて反復動させると、ネット面及びスポンジに石鹸成分が移動する。そしてネット集合体をもむように反復押圧させることにより、液状の石鹸成分はスポンジやネットの細かい凹凸及び網目の部分を出入りして細かな泡が多量に発生し、外ネット外面に浮き出てくる。この泡を手ですくい取って顔面に移動させて洗顔を行う。使用後は水で本品をすすいで、指挿入部を適所に掛けて乾燥させる。【０００７】  以上、本発明について記したが、本発明は多重ネットと発泡体を併用したところにその特徴を有している。従来品は、ネットのみで構成されているために、泡立ちが不十分であり、その持続時間も短いものであった。
しかし、本発明は多重ネットとスポンジによる発泡体を併用したので、より細かな泡が多量に得られてその持続時間も十分なものとなり、より洗顔に適したものとなったのである。なお、本発明ではナイロン製のネットを多重にして釣り鐘状に形成したので、適度の弾力を有するものであり、反復押圧が容易で泡発生に適しており、泡のすくい取りも楽である。発泡体に使用するスポンジは任意形状・サイズのものでよいが、本例ではその表面凹凸の細かなスポンジと中程度のスポンジを等分に貼着したものを用いたので、発生する泡のサイズを複合化したものとなっている。なお、小リングと結び目により紐体の脱落が防止される。また、既述の例は実施の一例であり、近似の他の構成としてもよい。
以上のごとく、本発明によってより快適な洗顔を行うことのできる有用なる物品を提供することができる。
【図面の簡単な説明】
【０００８】
【図１】  本発明の正面図
【図２】  本発明の外ネットをまくり上げた状態の正面図
【図３】  本発明の構造説明図
【符号の説明】
【０００９】  １  外ネット
２  中間ネット
３  内ネット
４  発泡体
５  結束体
６  指挿入部
７  紐体
８  小リング
【図１】
2009082665.tif 000003
【図２】
2009082665.tif 000004
【図３】
2009082665.tif 000005
(57)【要約】【課題】  湾曲した刃体を柄の中心から左側寄りに斜めに装着したカキむき用刃物を提供する。【解決手段】  湾曲した刃体の上部３，５ｃｍくらいに切ったビニールホースを装着し、刃体を斜め３０〜３５度の角度で柄の中心から左側に寄せて差込固定したことを特徴としたカキむき用刃物。【選択図】図１
2009082661.tif 000002
【特許請求の範囲】
【請求項１】
湾曲した刃体の上部に３，５ｃｍくらいに切ったビニールホースを装着し、刃体を斜め３０〜３５度の角度で柄の中心から２ｃｍくらい左側に寄せて差込固定したことを特徴としたカキむき用刃物。
【発明の詳細な説明】
【技術分野】
【０００１】  本発明は湾曲した刃体を斜めに柄の中心から数センチずらして装着したカキむき用刃物に関するものである。
【技術背景】
【０００２】  従来刃板が平らで柄の中心に刃体を装着した、Ｔ字型カキナイフという刃物はあった。
【発明の開示】
【０００３】  そのためにＴ字型カキナイフは次のような欠点があった。
（イ）柄の中心に刃体が装着されているために握り具合が悪かった。
（ロ）刃体が湾曲せずに平らなために貝柱をきれいに切ることができなかった。
（ハ）刃体が柄と平行に装着されているために狙いが定めにくいという大きな欠点があった。
本発明は以上の問題点を解決するためになされたものである。
【課題を解決するための手段】
【０００４】  湾曲した刃体を３０〜３５度くらいの角度でねじって柄の中心から左側に寄せ３，５ｃｍくらいに切ったビニールホースを装着して刃体を柄に差込固定したカキむき用刃物である。
【発明の効果】
【０００５】  柄の握りが良く、貝柱がきれいに切れカキ殻に差込時狙いが定めやすくなり、作業能率が大幅に向上する。
【発明を実施するための最良の形態】
【０００６】以下本発明の形態について説明する。
（イ）柄（１）の中心から左寄りにビニールホース（２）を装着した刃体（３）を斜めに差込固定する。
本発明は以上のような構成でこれを使用するときは、柄（１）を握り刃先（４）をカキ殻の隙間に差込、カキ殻の底をなでるように貝柱を切除する。
【図面の簡単な説明】
【０００７】
【図１】本発明の斜視図
【図２】従来のＴ字型カキナイフの平面図
【符号の説明】
【０００８】１  柄
２  ビニールホース
３  刃体
４  刃先
【図１】
2009082661.tif 000003
【図２】
2009082661.tif 000004
(57)【要約】【課題】  本発明は、平たい皿にレンゲアテを挟み込み焼飯類を食べやすくするものである。通常は平たい皿のみであるが、レンゲだけでは、食べ終わる直前の少量のご飯が食べにくくなるため、レンゲアテで食べやすくするためのものを提供する。【解決手段】  皿の縁にレンゲをあてれるようなレンゲアテを設ける。れんげあては取り外し可能にするためクリップを設ける。レンゲアテとクリップを支持させる支持材は長さを調整できるように伸縮可能な支持材を設ける。【選択図】図１
2009082667.tif 000002
【特許請求の範囲】
【請求項１】
平たい皿で食する焼飯類など、食べ終わる前のご飯をレンゲで掬いやすくするレンゲアテ
【請求項２】
皿の縁に固定するための、クリップが設けられている請求項１のレンゲアテ
【請求項３】
レンゲアテとクリップを支持させている、伸縮可能な支持材が設けられている請求項１のレンゲアテ
【発明の詳細な説明】
【技術分野】
【０００１】    本発明は、平たい皿で焼飯類を食す時、皿の縁にレンゲアテを固定し、食べ終わる直前のご飯を食べやすくしたものである。
【背景技術】
【０００２】    従来、焼飯類を盛る皿は、皿にまるく盛り付けしやすいように平たい皿を使用しているだけである。
【発明の開示】
【発明が解決しようとする課題】
【０００３】    平たい皿で焼飯類を食す時、次の問題点があった。食べ終わる直前の少量になったご飯粒は、レンゲだけでは掬いにくいという点。本発明はこれらの問題点を解決するためになされたものである。
【課題を解決するための手段】
【０００４】    レンゲをあてれるようなレンゲアテを設ける。レンゲアテは取り外し可能にするためクリップを設ける。レンゲアテとクリップを支持させる支持材は長さを調整できるように伸縮可能な支持材を設ける。本発明は、以上の構成によりなるレンゲアテである。
【発明の効果】
【０００５】    食べ終わる直前の、少量になったご飯をレンゲで掬いやすくなる。
【発明を実施するための最良の形態】
【０００６】    以下、本発明の実施を説明する。
（イ）  皿の縁にレンゲアテ（１）を挟み込めるクリップ（２）を設ける。
（ロ）  レンゲアテ（１）とクリップ（２）を支持させる支持材（３）は長さを調整で          きるように伸縮可能な支持材（３）を設ける。
（ハ）  レンゲアテ（１）には、少し、返し（４）を設ける。
（ニ）  レンゲアテ（１）と支持材（３）は洗えるようにするため、分離できるように          する。
本発明は以上の構成よりなる。
本発明を使用する場合は、皿の縁にレンゲアテのクリップを挟み込み、支持材を適度  な長さまで伸縮させる。
【図面の簡単な説明】
【０００７】
【図１】  本発明の斜視図
【図２】  本発明の要部拡大の側面図
【図３】  本発明の要部拡大図
【符号の説明】
【０００８】（１）レンゲアテ    （２）クリップ    （３）支持材    （４）返し
【図１】
2009082667.tif 000003
【図２】
2009082667.tif 000004
【図３】
2009082667.tif 000005